(57)【要約】【課題】ポータブルビデオオーディオシステムの提供。【解決手段】本発明はポータブルビデオオーディオシステムに関するもので、それは無線レシーバ、デコーダ、音響効果装置、ディスプレー装置及びコントローラを含む。無線レシーバは無線伝送のビデオオーディオ信号を受信し、並びにそれを復調してデジタル輸送ストリームを発生する。デコーダはデジタル輸送ストリームを受信してデコードを行い、それによってビデオオーディオデータフローを発生する。コントローラは無線レシーバ、デコーダ、音響効果装置、及びディスプレー装置に対してフォーマット設定及びワークモヂュール設定を行い、コントローラはデコーダを駆動して該デジタル輸送ストリームに対してデコードを行い、それによってビデオオーディオデータフローを発生する。無線レシーバが分離可能の無線レシーバである場合、デコーダ、音響効果装置、ディスプレー装置、コントローラは埋め込み式システムに統合される。【選択図】図２
2008017435.tif 000002
【特許請求の範囲】
【請求項１】
無線レシーバ、デコーダ、音響効果装置、ディスプレー装置及びコントローラを含み、該無線レシーバは無線伝送のビデオオーディオ信号の受信に用いられ、並びに該無線伝送のビデオオーディオ信号を復調してデジタル輸送ストリームを発生し、
該デコーダは該無線レシーバに結合され、並びに該デジタル輸送ストリームを受信してデコードを行い、それによってビデオオーディオデータフローを発生し、
該音響効果装置は該デコーダに結合され、ビデオオーディオデータフローの音響効果信号を受信し、並びにそれを放送し、
該ディスプレー装置は該デコーダに結合され、ビデオオーディオデータフローのビデオ信号を受信し、並びにそれを放送し、
該コントローラはそれぞれ該無線レシーバ、該デコーダ、該音響効果装置、及び該ディスプレー装置に接続され、該コントローラは該無線レシーバ、該デコーダ、該音響効果装置、及び該ディスプレー装置に対してフォーマット設定及びワークモヂュール設定を行い、該コントローラは該デコーダを駆動して該デジタル輸送ストリームに対してデコードを行い、それによってビデオオーディオデータフローを発生することを特徴とするポータブルビデオオーディオシステム。
【請求項２】
該無線レシーバは分離可能のレシーバで、それは無線伝送ビデオオーディオ信号の受信に用いられ、並びに該無線伝送ビデオオーディオ信号を復調してデジタル輸送ストリームを発生することを特徴とする請求項１に記載のポータブルビデオオーディオシステム。
【請求項３】
該デコーダ、該音響効果装置、該ディスプレー装置及び該コントローラは埋め込み式システムに統合されることを特徴とする請求項２に記載のポータブルビデオオーディオシステム。
【請求項４】
該無線レシーバはデジタルテレビチューナで、無線伝送のデジタルテレビ信号を受信し、並びに該無線伝送のデジタルテレビ信号を復調してデジタル輸送ストリームを発生することを特徴とする請求項３に記載のポータブルビデオオーディオシステム。
【請求項５】
該分離可能のデジタルテレビチューナは第一ＵＳＢ受発信装置が含まれ、それはデジタル輸送ストリームをＵＳＢ格式に転換し、並びにＵＳＢ格式のあるデジタル輸送ストリームを出力することを特徴とする請求項４に記載のポータブルビデオオーディオシステム。
【請求項６】
それは更に第二ＵＳＢ受発信装置が含まれて該デコーダに接続され、かつ第一ＵＳＢ受発信装置に挿入接続されてＵＳＢ格式のあるデジタル輸送ストリームを受信し、並びに該ＵＳＢ格式のあるデジタル輸送ストリームをデジタル輸送ストリームに転換してデコーダに伝送することを特徴とする請求項５に記載のポータブルビデオオーディオシステム。
【請求項７】
該ポータブルビデオオーディオシステムはＰＤＡであることを特徴とする請求項６に記載のポータブルビデオオーディオシステム。
【請求項８】
該ポータブルビデオオーディオシステムは車両に設置することができることを特徴とする請求項６に記載のポータブルビデオオーディオシステム。
【請求項９】
圧縮されたビデオオーディオデータフローの提供に用いられるデータ提供装置、及び第一選択信号を発生して圧縮されたビデオオーディオデータフローに対応し、及び第二選択信号を発生してデジタル輸送ストリームに対応することに用いられる選択装置が更に含まれ、該コントローラは選択的に第一選択信号によってデコーダを駆動して圧縮されたビデオオーディオデータフローに対してデコードを行い、または第二選択信号によってデコーダを駆動してデジタル輸送ストリームに対してデコードを行い、それによってビデオオーディオデータフローを発生することを特徴とする請求項１に記載のポータブルビデオオーディオシステム。
【請求項１０】
該データ提供装置はフォートディスク読み取り装置であり、フォートディスクに記録された圧縮ビデオオーディオデータフローを読み取ることを特徴とする請求項９に記載のポータブルビデオオーディオシステム。
【請求項１１】
該フォートディスク読み取り装置はＤＶＤ読み取り装置であり、ＤＶＤに記録された圧縮ビデオオーディオデータフローを読み取ることを特徴とする請求項１０に記載のポータブルビデオオーディオシステム。
【請求項１２】
該分離可能の無線レシーバはＧＰＲＳ携帯電話であることを特徴とする請求項２に記載のポータブルビデオオーディオシステム。
【請求項１３】
該分離可能の無線レシーバはＷＣＤＭＡ携帯電話であることを特徴とする請求項２に記載のポータブルビデオオーディオシステム。
【請求項１４】
該分離可能の無線レシーバはＣＤＭＡ２０００型携帯電話であることを特徴とする請求項２に記載のポータブルビデオオーディオシステム。
【発明の詳細な説明】
【技術分野】
【０００１】
本発明はポータブルビデオオーディオシステムに関するもので、特に無線伝送ビデオオーディオ信号を放送することができるポータブルビデオオーディオシステムを指したものである。
【背景技術】
【０００２】
これまで車の中では音楽しか聞けなかった。科学技術の進歩により、現在は車の中では音楽が聞けるだけでなく、映画を観賞することさえできる。図１は車用ポータブルビデオオーディオシステム１００のブロックダイアグラムで、それにはＶＣＤ読み取り装置１１０、デコーダ１２０、音響効果装置１５０、ディスプレー装置１３０及びコントローラ１４０が含まれる。
【０００３】
該ＶＣＤ読み取り装置１１０はＶＣＤに記録されてあるＭＰＥＧ１圧縮ビデオオーディオデータフローを読み取る。該デコーダ１２０はＶＣＤ読み取り装置１１０に結合され、圧縮されたビデオオーディオデータフローを受信し、並びにＭＰＥＧ１の格式によってデコードを行い、ビデオオーディオデータフローを発生する。該音響効果装置１５０はデコーダ１２０に結合され、ビデオオーディオデータフローの音響効果信号を受信して放送する。該ディスプレー装置１３０はデコーダ１２０に結合され、ビデオオーディオデータフローのビデオ信号を受信して放送する。これにより、車の中で音楽を聴き及び映画を観賞することができる。ところが、車のスペースに限度があるので、あまり多くのＶＣＤを置くことができなく、該ために少数の番組しか選択することができない。それと同時に、該車用ポータブルビデオオーディオシステム１００は即時のビデオオーディオ番組を放送することもできない。このように、該従来の車用ポータブルビデオオーディオシステムは改善する必要がある。
【発明の開示】
【発明が解決しようとする課題】
【０００４】
本発明の主要目的は即時ビデオオーディオ番組の放送ができるポータブルビデオオーディオシステムの提供である。
【０００５】
本発明のもう一つの目的は車のスペースの制限によって少数の番組だけが選択できる問題を解決する車用ポータブルビデオオーディオシステムの提供である。
【０００６】
本発明の特色によって提出されるポータブルビデオオーディオシステムは、無線レシーバ、デコーダ、音響効果装置、ディスプレー装置及びコントローラを含む。無線レシーバは無線伝送のビデオオーディオ信号を受信し、並びに該無線伝送のビデオオーディオ信号を復調してデジタル輸送ストリームを発生する。デコーダは無線レシーバに結合され、並びに該デジタル輸送ストリームを受信してデコードを行い、それによってビデオオーディオデータフローを発生する。音響効果装置はデコーダに結合され、ビデオオーディオデータフローの音響効果信号を受信し、並びにそれを放送する。ディスプレー装置はデコーダに結合され、ビデオオーディオデータフローのビデオ信号を受信し、並びにそれを放送する。コントローラはそれぞれ無線レシーバ、デコーダ、音響効果装置、及びディスプレー装置に接続され、該コントローラは無線レシーバ、デコーダ、音響効果装置、及びディスプレー装置に対してフォーマット設定及びワークモヂュール設定を行い、該コントローラはデコーダを駆動して該デジタル輸送ストリームに対してデコードを行い、それによってビデオオーディオデータフローを発生する。
【課題を解決するための手段】
【０００７】
請求項１の発明は、無線レシーバ、デコーダ、音響効果装置、ディスプレー装置及びコントローラを含み、
該無線レシーバは無線伝送のビデオオーディオ信号の受信に用いられ、並びに該無線伝送のビデオオーディオ信号を復調してデジタル輸送ストリームを発生し、
該デコーダは該無線レシーバに結合され、並びに該デジタル輸送ストリームを受信してデコードを行い、それによってビデオオーディオデータフローを発生し、
該音響効果装置は該デコーダに結合され、ビデオオーディオデータフローの音響効果信号を受信し、並びにそれを放送し、
該ディスプレー装置は該デコーダに結合され、ビデオオーディオデータフローのビデオ信号を受信し、並びにそれを放送し、
該コントローラはそれぞれ該無線レシーバ、該デコーダ、該音響効果装置、及び該ディスプレー装置に接続され、該コントローラは該無線レシーバ、該デコーダ、該音響効果装置、及び該ディスプレー装置に対してフォーマット設定及びワークモヂュール設定を行い、該コントローラは該デコーダを駆動して該デジタル輸送ストリームに対してデコードを行い、それによってビデオオーディオデータフローを発生することを特徴とするポータブルビデオオーディオシステムとしている。
請求項２の発明は、該無線レシーバは分離可能のレシーバで、それは無線伝送ビデオオーディオ信号の受信に用いられ、並びに該無線伝送ビデオオーディオ信号を復調してデジタル輸送ストリームを発生することを特徴とする請求項１に記載のポータブルビデオオーディオシステムとしている。
請求項３の発明は、該デコーダ、該音響効果装置、該ディスプレー装置及び該コントローラは埋め込み式システムに統合されることを特徴とする請求項２に記載のポータブルビデオオーディオシステムとしている。
請求項４の発明は、該無線レシーバはデジタルテレビチューナで、無線伝送のデジタルテレビ信号を受信し、並びに該無線伝送のデジタルテレビ信号を復調してデジタル輸送ストリームを発生することを特徴とする請求項３に記載のポータブルビデオオーディオシステムとしている。
請求項５の発明は、該分離可能のデジタルテレビチューナは第一ＵＳＢ受発信装置が含まれ、それはデジタル輸送ストリームをＵＳＢ格式に転換し、並びにＵＳＢ格式のあるデジタル輸送ストリームを出力することを特徴とする請求項４に記載のポータブルビデオオーディオシステムとしている。
請求項６の発明は、それは更に第二ＵＳＢ受発信装置が含まれて該デコーダに接続され、かつ第一ＵＳＢ受発信装置に挿入接続されてＵＳＢ格式のあるデジタル輸送ストリームを受信し、並びに該ＵＳＢ格式のあるデジタル輸送ストリームをデジタル輸送ストリームに転換してデコーダに伝送することを特徴とする請求項５に記載のポータブルビデオオーディオシステムとしている。
請求項７の発明は、該ポータブルビデオオーディオシステムはＰＤＡであることを特徴とする請求項６に記載のポータブルビデオオーディオシステムとしている。
請求項８の発明は、該ポータブルビデオオーディオシステムは車両に設置することができることを特徴とする請求項６に記載のポータブルビデオオーディオシステムとしている。
請求項９の発明は、圧縮されたビデオオーディオデータフローの提供に用いられるデータ提供装置、及び第一選択信号を発生して圧縮されたビデオオーディオデータフローに対応し、及び第二選択信号を発生してデジタル輸送ストリームに対応することに用いられる選択装置が更に含まれ、該コントローラは選択的に第一選択信号によってデコーダを駆動して圧縮されたビデオオーディオデータフローに対してデコードを行い、または第二選択信号によってデコーダを駆動してデジタル輸送ストリームに対してデコードを行い、それによってビデオオーディオデータフローを発生することを特徴とする請求項１に記載のポータブルビデオオーディオシステムとしている。
請求項１０の発明は、該データ提供装置はフォートディスク読み取り装置であり、フォートディスクに記録された圧縮ビデオオーディオデータフローを読み取ることを特徴とする請求項９に記載のポータブルビデオオーディオシステムとしている。
請求項１１の発明は、該フォートディスク読み取り装置はＤＶＤ読み取り装置であり、ＤＶＤに記録された圧縮ビデオオーディオデータフローを読み取ることを特徴とする請求項１０に記載のポータブルビデオオーディオシステムとしている。
請求項１２の発明は、該分離可能の無線レシーバはＧＰＲＳ携帯電話であることを特徴とする請求項２に記載のポータブルビデオオーディオシステムとしている。
請求項１３の発明は、該分離可能の無線レシーバはＷＣＤＭＡ携帯電話であることを特徴とする請求項２に記載のポータブルビデオオーディオシステムとしている。
請求項１４の発明は、該分離可能の無線レシーバはＣＤＭＡ２０００型携帯電話であることを特徴とする請求項２に記載のポータブルビデオオーディオシステムとしている。
【発明の効果】
【０００８】
本発明はポータブルビデオオーディオシステム、上述をまとめると、無線レシーバ２２０を使って無線伝送のビデオオーディオ信号を受信し、並びに該無線伝送のビデオオーディオ信号を復調してデジタル輸送ストリームを発生し、それによって即時のビデオオーディオ番組を放送することができる。
【発明を実施するための最良の形態】
【０００９】
本発明のポータブルビデオオーディオシステムは無線レシーバを使って無線伝送のビデオオーディオ信号を受信し、並びに該無線伝送のビデオオーディオ信号を復調してデジタル輸送ストリームを発生し、それによって即時のビデオオーディオ番組を放送することができる。
【００１０】
図２は本発明のポータブルビデオオーディオシステム２００のブロックダイアグラムである。該ポータブルビデオオーディオシステムは無線レシーバ２２０、デコーダ２３０、音響効果装置２５０、ディスプレー装置２４０、選択装置２７０、コントローラ２６０、第一記憶装置２３２、第二記憶装置２６２及び第三記憶装置２６４を含む。
【００１１】
該無線レシーバ２２０は無線伝送のビデオオーディオ信号の受信に用いられ、並びに該無線伝送のビデオオーディオ信号を復調してデジタル輸送ストリームを発生する。本実施例に於いて、該無線レシーバ２２０はデジタルテレビチューナであり、それは無線伝送のデジタルテレビ信号を受信し、並びに該無線伝送のデジタルテレビ信号を復調してデジタル輸送ストリームを発生する。該デジタルテレビチューナは先ず無線周波数（ＲＦ）テレビ信号を中間周波数（ＩＦ）信号に変調し、更に該中間周波数信号をＭＰＥＧ１、ＭＰＥＧ２、ＭＰＥＧ４、またはＨ.２６４のデジタル輸送ストリーム（ｔｒａｎｓｐｏｒｔ  ｓｔｒｅａｍ）に復調（ｄｅｍｏｄｕｌａｔｉｏｎ）する。該デジタルテレビチューナはコード化直交周波数分割多重化変調（ＣＯＦＤＭ）の復調、二位相桁送りキーイング（ＢＰＳＫ）の復調、または四位相桁送りキーイング（ＱＰＳＫ）の復調を執行する。
【００１２】
該デコーダ２３０は無線レシーバ２２０に結合され、並びに該デジタル輸送ストリームを受信してデコードを行い、それによってビデオオーディオデータフローを発生する。該デコーダ２３０はデジタル信号プロセッサー（ｄｉｇｉｔａｌ  ｓｉｇｎａｌ  ｐｒｏｃｅｓｓｏｒ,ＤＳＰ）で、それぞれＭＰＥＧ１、ＭＰＥＧ２、ＭＰＥＧ４、またはＨ.２６４格式のビデオオーディオデータフローまたはデジタル輸送ストリームに対してデコードを行う。該第一記憶装置２３２はデコーダ２３０に接続され、それは該デコーダ２３０がデコード時に発生する一時的データの記憶に用いられる。該第一記憶装置２３２は倍速データ伝送ＤＲＡＭ（Ｄｏｕｂｌｅ  Ｄａｔａ  Ｒａｔｅ ＳＤＲＡＭ）がよい。
【００１３】
該音響効果装置２５０はデコーダ２３０に結合され、ビデオオーディオデータフローの音響効果信号を受信し、デコードした後それを放送する。該ディスプレー装置２４０はデコーダ２３０に結合され、ビデオオーディオデータフローのビデオ信号を受信し、並びにそれを放送する。
【００１４】
該コントローラ２６０はそれぞれ無線レシーバ２２０、デコーダ２３０、音響効果装置２５０、及びディスプレー装置２４０に接続され、該コントローラ２６０は無線レシーバ２２０、デコーダ２３０、音響効果装置２５０、及びディスプレー装置２４０に対してフォーマット設定及びワークモヂュール設定を行う。
【００１５】
該第二記憶装置２６２はコントローラ２６０に接続され、それは起動ローダ（ｂｏｏｔｌｏａｄｅｒ）及び埋め込み式オペレーティングシステム（Ｅｍｂｅｄｄｅｄ ＯＳ）の記憶に用いられる。該第二記憶装置２６２はＮＯＲ形式のフラッシュメモリがよい。該埋め込み式オペレーティングシステムはマイクロソフト社のウインドウモビル埋め込み式オペレーティングシステムでよい。該埋め込み式オペレーティングシステムはＲＴＬｉｍｕｘの埋め込み式オペレーティングシステムでもよい。
【００１６】
該第三記憶装置２６４はコントローラ２６０に接続され、それはコントローラ２６０が埋め込み式オペレーティングシステムを執行するときの一時的記憶位置を提供する。該第三記憶装置２６４は倍速データ伝送ＤＲＡＭ（ＤＤＲ ＳＤＲＡＭ）がよい。該コントローラ２６０はデコーダ２３０を駆動して該デジタル輸送ストリームに対してデコードを行い、それによってビデオオーディオデータフローを発生する。
【００１７】
該コントローラ２６０とデコーダ２３０は同一の集積回路に統合されてもよく、この場合、該第一記憶装置２３２と第三記憶装置２６４も同一の集積回路に統合されてもよい。
【００１８】
図３は本発明のポータブルビデオオーディオシステム３００の別の実施例のブロックダイアグラムである。それと図２の主な区別は該無線レシーバ３３０は分離可能（ｄｅｔａｃｈａｂｌｅ）の無線レシーバである。本実施例に於いて、該無線レシーバ３３０は分離可能のデジタルテレビチューナであり、それは無線伝送のデジタルテレビ信号の受信に用いられ、並びに該無線伝送のデジタルテレビ信号を復調してデジタル輸送ストリームを発生する。
【００１９】
この場合、該無線レシーバ３３０は分離可能の無線レシーバであるので、該デコーダ２３０、音響効果装置２５０、及びディスプレー装置２４０、及びコントローラ２６０は埋め込み式システム（Ｅｍｂｅｄｄｅｄ  Ｓｙｓｔｅｍ）に統合される。
【００２０】
該分離可能のデジタルテレビチューナ３３０には第一ＵＳＢ受発信装置３１０が含まれ、それはデジタル輸送ストリームをＵＳＢ格式に転換し、並びにＵＳＢ格式のあるデジタル輸送ストリームを出力する。相対的に、該ポータブルビデオオーディオシステム２００は更に第二ＵＳＢ受発信装置３２０が含まれてデコーダ２３０に接続され、かつ第一ＵＳＢ受発信装置３１０に挿入接続されてＵＳＢ格式のあるデジタル輸送ストリームを受信し、並びに該ＵＳＢ格式のあるデジタル輸送ストリームをデジタル輸送ストリームに転換してデコーダ２３０に伝送する。
【００２１】
該ポータブルビデオオーディオシステム２００、３００は携帯型装置、例えばＰＤＡでもよい。該ポータブルビデオオーディオシステム２００、３００は車（図面には示されていない）に設置されることもできる。
【００２２】
図４は本発明のポータブルビデオオーディオシステム４００の更に一つの実施例のブロックダイアグラムである。図４のポータブルビデオオーディオシステム４００にはデータ提供装置４５０、及び選択装置４６０が新たに増えられ、それと図３の主な区別は、該無線レシーバ４２０は改めにＲＦ受発信装置のあるＰＤＡが用いられ、またはＧＰＲＳ携帯電話に改め用いられ、またはＷＣＤＭＡ携帯電話に改め用いられてもよい。該無線レシーバ４２０には第一ＵＳＢ受発信装置４３０が含まれ、それはデジタル輸送ストリームをＵＳＢ格式に転換し、並びに該ＵＳＢ格式のあるデジタル輸送ストリームを出力する。相対的に、該ポータブルビデオオーディオシステム２００は更に第二ＵＳＢ受発信装置４４０が含まれ、それはデコーダ２３０に接続される。該無線レシーバ４２０は無線伝送のデジタル輸送ストリームを受信し、並びに該第一ＵＳＢ受発信装置４３０を経由してＵＳＢ格式のあるデジタル輸送ストリームを出力する。更にＵＳＢケーブル４１０によって該ＵＳＢ格式のデジタル輸送ストリームを第二ＵＳＢ受発信装置４４０に伝送する。
【００２３】
該データ提供装置４５０は圧縮ビデオオーディオデータフローの提供の用いられる。該データ提供装置４５０はビデオコンパクトディスク（ＶＣＤ）の読み取り装置で、それはＶＣＤに記録されてある圧縮ビデオオーディオデータフローを読み取るが、この場合、該圧縮ビデオオーディオデータフローはＭＰＥＧ１格式の圧縮ビデオオーディオデータフローである。該ビデオコンパクトディスク読み取り装置４１０はＤＶＤ読み取り装置でもよく、それはＤＶＤに記録されてある圧縮ビデオオーディオデータフローを読み取るが、この場合、該圧縮ビデオオーディオデータフローはＭＰＥＧ２格式の圧縮ビデオオーディオデータフローである。該圧縮ビデオオーディオデータフローの格式はＭＰＥＧ４またはＨ.２６４でもよい。
【００２４】
該選択装置４６０はポータブルビデオオーディオシステム４００の一枚のパネル（図面には示されていない）に設置され、該選択装置４６０はディップスイッチでもよく、それは第一選択信号を発生して該圧縮ビデオオーディオデータフローに対応させ、または第二選択信号を発生して該デジタル輸送ストリームに対応させる。
【００２５】
該選択装置４６０に第一選択信号が発生して圧縮ビデオオーディオデータフローに対応した場合、コントローラ２６０は第一選択信号によってデコーダ２３０を駆動し、該圧縮ビデオオーディオデータフローに対してデコードを行う。該選択装置４６０に第二選択信号が発生してデジタル輸送ストリームに対応した場合、コントローラ２６０は第二選択信号によってデコーダ２３０を駆動し、該デジタル輸送ストリーム対してデコードを行い、それによってビデオオーディオデータフローを発生する。
【図面の簡単な説明】
【００２６】
【図１】従来のポータブルビデオオーディオシステムのブロックダイアグラムである。
【図２】本発明のポータブルビデオオーディオシステムのブロックダイアグラムである。
【図３】本発明のポータブルビデオオーディオシステムの別実施例のブロックダイアグラムである。
【図４】本発明のポータブルビデオオーディオシステムの更に一つの実施例のブロックダイアグラムである。
【符号の説明】
【００２７】
１００  ポータブルビデオオーディオシステム
１１０  ＶＣＤ読み取り装置
１２０、２３０  デコーダ
１３０  ディスプレー装置
１４０、２６０  コントローラ
１５０、２５０    音響効果装置
２００、３００、４００    ポータブルビデオオーディオシステム
２２０、４２０    無線レシーバ
２３２  第一記憶装置
２４０  ディスプレー装置
２６２  第二記憶装置
２６４  第三記憶装置
３１０、４３０    第一ＵＳＢ受発信装置
３２０、４４０    第二ＵＳＢ受発信装置
３３０  デジタルテレビチューナ
４１０  ＵＳＢケーブル
４５０  データ提供装置
４６０  選択装置
【図１】
2008017435.tif 000003
【図２】
2008017435.tif 000004
【図３】
2008017435.tif 000005
【図４】
2008017435.tif 000006